(57)【特許請求の範囲】
【請求項１】
無線端末（３０）を操作する方法であって、
前記無線端末（３０）が、回線交換ネットワークとの回線交換通話に参加することを求める要求を送ること
を含む方法において、
前記回線交換通話の確立の前に、前記無線端末（３０）が、元のパケット交換ネットワークとの既存のパケット交換セッションを解除し、または元のパケット交換ネットワークとの既存のパケット交換セッションの無線アクセス技術間ハンドオーバを実行すること、
前記回線交換ネットワークとの前記回線交換通話を確立すること、
前記無線端末（３０）が、前記パケット交換セッションに再接続して、再接続されたパケット交換セッションを得ること、および
前記無線端末（３０）が、前記再接続されたパケット交換セッションのパケット交換伝送を前記回線交換通話の音声伝送とインタリーブすること
を特徴とする方法。
【請求項２】
前記無線端末（３０）が、回線交換通話に参加することを求める要求を送る動作が、前記無線端末（３０）が、発展型パケットコアネットワークに拡張サービス要求メッセージを送り、前記無線端末（３０）が回線交換フォールバック操作を実行しようとしていることを示すことを含む、請求項１に記載の方法。
【請求項３】
前記パケット交換セッションに再接続することが、前記回線交換通話が確立された後に、前記無線端末（３０）が、前記パケット交換セッションに再接続するために、ロングタームエボルーション（ＬＴＥ）無線アクセスネットワークにトラッキングエリア更新メッセージを送ることをさらに含む、請求項１に記載の方法。
【請求項４】
前記回線交換通話が確立される前に、前記無線端末（３０）がルーティング更新手順を実行しない、請求項３に記載の方法。
【請求項５】
前記無線端末（３０）が、前記ロングタームエボルーション（ＬＴＥ）無線アクセス技術ネットワークにスケジューリングマップを送って、パケット交換伝送に使用することができる伝送時間間隔（ＴＴＩ）を示すことをさらに含む、請求項３に記載の方法。
【請求項６】
無線アクセス技術間パケット交換ハンドオーバを防ぐように、前記無線端末（３０）のフィーチャグループビットを構成することをさらに含む、請求項１に記載の方法。
【請求項７】
前記無線アクセス技術間ハンドオーバを実行することが、前記既存のパケット交換セッションを、前記元のパケット交換ネットワークから広帯域符号分割多重アクセスネットワークへハンドオーバすることを含む、請求項１に記載の方法。
【請求項８】
前記無線アクセス技術間ハンドオーバを実行することが、前記既存のパケット交換セッションを、前記元のパケット交換ネットワークからＧＳＭネットワークへハンドオーバして、ＧＳＭデュアル伝送モードパケット交換セッションを得ることを含み、前記方法がさらに、前記無線端末（３０）が、前記ＧＳＭデュアル伝送モードパケット交換セッションを中断し、次いで、前記パケット交換セッションに再接続するために、ロングタームエボルーション（ＬＴＥ）無線アクセスネットワークにトラッキングエリア更新メッセージを送ることを含む、請求項１に記載の方法。
【請求項９】
無線インタフェースを介して通信する能力を有する無線端末（３０）において、
回線交換ネットワークとの回線交換通話に参加することを求める要求を送り、
回線交換通話の確立の前に、元のパケット交換ネットワークとの既存のパケット交換セッションを解除し、または元のパケット交換ネットワークとの既存のパケット交換セッションの無線アクセス技術間ハンドオーバを実行し、
前記回線交換ネットワークとの前記回線交換通話を確立し、
前記パケット交換セッションに再接続して、再接続されたパケット交換セッションを得、
前記再接続されたパケット交換セッションのパケット交換伝送を前記回線交換通話の音声伝送とインタリーブする
ように構成されていることを特徴とする無線端末（３０）。
【請求項１０】
回線交換ネットワークとの回線交換通話に参加することを求める要求を生成し、その後、前記回線交換通話の伝送を制御するように構成された回線交換通話コントローラ（４２）と、
前記回線交換通話の確立の前に、前記元のパケット交換ネットワークとの既存のパケット交換セッションを解除し、または前記元のパケット交換ネットワークとの既存のパケット交換セッションの無線アクセス技術間ハンドオーバを実行し、その後、前記パケット交換セッションに再接続して、再接続されたパケット交換セッションを得、前記パケット交換セッションの伝送を制御するように構成されたパケット交換セッションコントローラ（４４）と、
前記回線交換通話の伝送および前記パケット交換セッションの伝送を実行するように構成された通信インタフェース（４０）と
をさらに備える、請求項９に記載の無線端末。
【請求項１１】
前記回線交換通話コントローラ（４２）が、発展型パケットコアネットワークに拡張サービス要求メッセージを送り、前記無線端末（３０）が回線交換フォールバック操作を実行しようとしていることを示すように構成されている、請求項１０に記載の無線端末。
【請求項１２】
前記パケット交換セッションコントローラ（４４）が、前記回線交換通話が確立された後に、前記パケット交換セッションに再接続するために、ロングタームエボルーション（ＬＴＥ）無線アクセスネットワークにトラッキングエリア更新メッセージを送るように構成されている、請求項１０に記載の無線端末。
【請求項１３】
前記回線交換通話コントローラ（４２）が、前記回線交換通話が確立される前にルーティング更新手順を実行しないように構成されている、請求項１２に記載の無線端末。
【請求項１４】
前記パケット交換セッションコントローラ（４４）が、前記ロングタームエボルーション（ＬＴＥ）無線アクセス技術ネットワークにスケジューリングマップを送って、パケット交換伝送に使用することができる伝送時間間隔（ＴＴＩ）を示すように構成されている、請求項１２に記載の無線端末。
【請求項１５】
無線アクセス技術間パケット交換ハンドオーバを防ぐように構成されたフィーチャグループビットを含むフィーチャグループメモリをさらに備える、請求項１０に記載の無線端末。
【請求項１６】
前記パケット交換セッションコントローラ（４４）が、前記元のパケット交換ネットワークから広帯域符号分割多重アクセスネットワークへの前記既存のパケット交換セッションのハンドオーバを実行するように構成されている、請求項１０に記載の無線端末。
【請求項１７】
前記パケット交換セッションコントローラ（４４）が、前記元のパケット交換ネットワークからＧＳＭネットワークへの前記既存のパケット交換セッションのハンドオーバを実行して、ＧＳＭデュアル伝送モードパケット交換セッションを得るように構成されており、さらに、前記ＧＳＭデュアル伝送モードパケット交換セッションを中断し、次いで、前記パケット交換セッションに再接続するために、ロングタームエボルーション（ＬＴＥ）無線アクセスネットワークにトラッキングエリア更新メッセージを送るように構成されている、請求項１０に記載の無線端末。
【請求項１８】
前記回線交換通話コントローラ（４２）および前記パケット交換セッションコントローラ（４４）を実現するように構成された電子回路をさらに備える、請求項１０に記載の無線端末。
【請求項１９】
通信システムを操作する方法であって、
無線端末（３０）と元のパケット交換ネットワークとの間にパケット交換セッションを確立すること
を含む方法において、
前記無線端末（３０）が、回線交換ネットワークとの回線交換通話に参加することを求める要求を送ること、
前記回線交換通話の確立の前に、前記無線端末（３０）が、元のパケット交換ネットワークとの既存のパケット交換セッションを解除し、または元のパケット交換ネットワークとの既存のパケット交換セッションの無線アクセス技術間ハンドオーバを実行すること、
無線端末（３０）と回線交換ネットワークの間に前記回線交換通話を確立すること、
前記無線端末（３０）が、前記パケット交換セッションに再接続して、再接続されたパケット交換セッションを得ること、および
前記無線端末（３０）が、前記再接続されたパケット交換セッションのパケット交換伝送を前記回線交換通話の音声伝送とインタリーブすること
を特徴とする方法。
【発明の詳細な説明】
【技術分野】
【０００１】
関連出願
本出願は以下の米国特許仮出願に関連する。これらの仮出願は全て、出願の全体が参照により本明細書に組み込まれている。
【０００２】
２００９年１２月１７日に出願したＭａｇｎｕｓ  Ｏｌｓｓｏｎ他の「ＧＳＭ  ａｎｄ  ＬＴＥ  Ｍｕｌｔｉｐｌｅｘｉｎｇ  Ｓｙｓｔｅｍｓ」という名称の米国特許仮出願第６１／２８７，５７５号
【０００３】
２００９年１２月１７日に出願したＭａｇｎｕｓ  Ｏｌｓｓｏｎ他の「Ｍｅａｓｕｒｅｍｅｎｔ  Ｒｅｐｏｒｔ  Ｒｅｌａｙ  ｉｎ  Ａｃｃｅｓｓ  Ｄｉｖｉｓｉｏｎ  Ｍｕｌｔｉｐｌｅｘｉｎｇ  Ｓｙｓｔｅｍｓ」という名称の米国特許仮出願第６１／２８７，６２３号
【０００４】
２００９年１２月１７日に出願したＭａｇｎｕｓ  Ｏｌｓｓｏｎ他の「ＷＣＤＭＡ  ａｎｄ  ＬＴＥ  Ｍｕｌｔｉｐｌｅｘｉｎｇ」という名称の米国特許仮出願第６１／２８７，４３８号
【０００５】
２００９年１２月１７日に出願したＭａｇｎｕｓ  Ｏｌｓｓｏｎ他の「Ｔｅｌｅｃｏｍｍｕｎｉｃａｔｉｏｎｓ  Ｍｕｌｔｉｐｌｅｘｉｎｇ」という名称の米国特許仮出願第６１／２８７，６２７号
【０００６】
２００９年１２月１７日に出願したＭａｇｎｕｓ  Ｏｌｓｓｏｎ他の「Ａｃｃｅｓｓ  Ｄｉｖｉｓｉｏｎ  Ｍｕｌｔｉｐｌｅｘｉｎｇ−Ｃａｌｌ  Ｓｅｔｕｐ  Ｐｅｒｆｏｒｍａｎｃｅ  Ｉｍｐｒｏｖｅｍｅｎｔ」という名称の米国特許仮出願第６１／２８７，６３０号
【０００７】
２００９年１２月１７日に出願したＭａｇｎｕｓ  Ｏｌｓｓｏｎ他の「Ｓｃｈｅｄｕｌｅｄ  Ｏｐｔｉｍｉｚｅｄ  ｆｏｒ  ＧＳＭ  ａｎｄ  ＬＴＤ  Ｍｕｌｔｉｐｌｅｘｉｎｇ」という名称の米国特許仮出願第６１／２８７，９５４号
【０００８】
本出願は以下の米国特許出願に関連する。これらの出願は全て本出願と同日に出願したものであり、出願の全体が参照により本明細書に組み込まれている。
【０００９】
Ｍａｇｎｕｓ  Ｏｌｓｓｏｎ他の「Ｌｉｎｋ  Ｒｅｐｏｒｔ  Ｒｅｌａｙ  ｉｎ  Ａｃｃｅｓｓ  Ｄｉｖｉｓｉｏｎ  Ｍｕｌｔｉｐｌｅｘｉｎｇ  Ｓｙｓｔｅｍｓ」という名称の米国特許出願第１２／９４３，７７０号
【００１０】
Ｍａｇｎｕｓ  Ｏｌｓｓｏｎ他の「Ｋｅｅｐｉｎｇ  Ｐａｃｋｅｔ  Ｓｗｉｔｃｈｅｄ  Ｓｅｓｓｉｏｎ  ｉｎ  ＬＴＥ  Ｗｈｉｌｅ  Ｃｉｒｃｕｉｔ  Ｓｗｉｔｃｈｅｄ  Ｒｅｇｉｓｔｅｒｅｄ  ｉｎ  ＷＣＤＭＡ」という名称の米国特許出願第１２／９４３，６１２号
【００１１】
Ｍａｇｎｕｓ  Ｏｌｓｓｏｎ他の「Ｍａｉｎｔａｉｎｉｎｇ  Ｐａｃｋｅｔ  Ｓｗｉｔｃｈｅｄ  Ｓｅｓｓｉｏｎ  ｉｎ  ＬＴＥ  Ｗｈｅｎ  Ｅｓｔａｂｌｉｓｈｉｎｇ  ＧＳＭ  Ｃｉｒｃｕｉｔ  Ｓｗｉｔｃｈｅｄ  Ｃａｌｌ」という名称の米国特許出願第１２／９４３，６８５号
【００１２】
Ｍａｇｎｕｓ  Ｏｌｓｓｏｎ他の「Ｃａｌｌ  Ｓｅｔｕｐ  Ｆｏｒ  Ａｃｃｅｓｓ  Ｄｉｖｉｓｉｏｎ  Ｍｕｌｔｉｐｌｅｘｉｎｇ」という名称の米国特許出願第１２／９４３，７３６号
【００１３】
Ｍａｇｎｕｓ  Ｏｌｓｓｏｎ他の「Ｓｃｈｅｄｕｌｉｎｇ  Ｆｏｒ  Ａｃｃｅｓｓ  Ｄｉｖｉｓｉｏｎ  Ｍｕｌｔｉｐｌｅｘｉｎｇ」という名称の米国特許出願第１２／９４３，５０４号
【００１４】
Ｍａｇｎｕｓ  Ｏｌｓｓｏｎ他の「ＧＳＭ  ａｎｄ  ＬＴＥ  Ｍｕｌｔｉｐｌｅｘｉｎｇ」という名称の米国特許出願第１２／９４３，８０１号
【００１５】
この技術は無線通信ネットワークに関する。
【背景技術】
【００１６】
一般的なセル方式無線システムでは、無線端末（移動局および／またはユーザイクイップメントユニット（ＵＥ）としても知られている）が、無線アクセスネットワーク（ＲＡＮ）を介して１つまたは複数のコアネットワークと通信する。無線アクセスネットワーク（ＲＡＮ）は、複数のセルエリアに分割された１つの地理的エリアをカバーし、それぞれのセルエリアは、１つの基地局、例えば１つの無線基地局（ＲＢＳ）によってサービスが提供される。ネットワークによっては、無線基地局（ＲＢＳ）が、例えば「ＮｏｄｅＢ」（ＵＭＴＳ）または「ｅＮｏｄｅＢ」（ＬＴＥ）と呼ばれることもある。セルは、基地局サイトにある無線基地局機器によって無線カバレージ（ｃｏｖｅｒａｇｅ）が提供される地理的エリアである。それぞれのセルは、そのローカル無線エリア内の識別子によって識別され、この識別子は、そのセル内で無線放送される。基地局は、無線周波数で動作するエアインタフェース（ａｉｒ  ｉｎｔｅｒｆａｃｅ）を介して、その基地局の範囲内のユーザイクイップメントユニット（ＵＥ）と通信する。
【００１７】
いくつかの種類の無線アクセスネットワークでは一般に、（無線ネットワークコントローラ（ＲＮＣ）、基地局コントローラ（ＢＳＣ）などの）１つのコントローラノードに（例えば陸上通信線またはマイクロ波によって）いくつかの基地局が接続され、コントローラノードは、そのコントローラノードに接続した複数の基地局のさまざまな活動を監督し、調整する。無線ネットワークコントローラは一般に１つまたは複数のコアネットワークに接続される。
【００１８】
ユニバーサルモバイルテレコミュニケーションズシステム（ＵＭＴＳ）は、第２世代（２Ｇ）のグローバルシステムフォーモバイルコミュニケーションズ（ＧＳＭ）（登録商標）から進化した第３世代の移動通信システムである。ＵＴＲＡＮは本質的に、広帯域符号分割多重アクセスを使用する、ユーザイクイップメントユニット（ＵＥ）用の無線アクセスネットワークである。サードジェネレーションパートナーシッププロジェクト（（３ＧＰＰ）として知られているフォーラムでは、電気通信供給業者が、第３世代ネットワーク、特にＵＴＲＡＮに対する標準を提案し、そのような標準に合意しており、強化されたデータ転送速度および無線容量を調査している。発展型ユニバーサルテレストリアルラジオアクセスネットワーク（Ｅ−ＵＴＲＡＮ）に対する仕様が、サードジェネレーションパートナーシッププロジェクト（３ＧＰＰ）内で検討中である。発展型ユニバーサルテレストリアルラジオアクセスネットワーク（Ｅ−ＵＴＲＡＮ）は、ロングタームエボルーション（ＬＴＥ）およびシステムアーキテクチャエボルーション（ＳＡＥ）を含む。ロングタームエボルーション（ＬＴＥ）は一種の３ＧＰＰ無線アクセス技術であり、ＬＴＥでは、無線基地局ノードが、無線ネットワークコントローラ（ＲＮＣ）ノードではなくコアネットワークに（サービングゲートウェイないしＳＧＷを介して）接続される。ＬＴＥでは一般に、無線ネットワークコントローラ（ＲＮＣ）ノードの機能が、無線基地局ノード（ＬＴＥではｅＮｏｄｅＢ）とＳＧＷの間で分配される。そのため、ＬＴＥシステムの無線アクセスネットワーク（ＲＡＮ）は、無線ネットワークコントローラ（ＲＮＣ）ノードに報告しない無線基地局ノードを含む本質的に「フラット（ｆｌａｔ）な」アーキテクチャを有する。
【００１９】
移動ネットワークの第１世代ではセル方式回線交換（ＣＳ）テレフォニー（ｔｅｌｅｐｈｏｎｙ）が導入された。それ以来、ＣＳテレフォニーは世界で最大のサービスになっており、約４０億のサブスクリプション（ｓｕｂｓｃｒｉｐｔｉｏｎ）が販売された。今日でも、移動通信運営業者の収益の主要な部分は、ＣＳテレフォニーサービス（ショートメッセージサービス（ＳＭＳ）を含む）からであり、２Ｇ  ＧＳＭネットワークは、サブスクリプションに関して依然として世界を支配している。３Ｇのサブスクリプションの規模は増大してはいるが、その増大は、部分的には、ハンドヘルド式移動端末を所有するユーザは２Ｇから３Ｇへ移行しているため、より大きくは、ドングル（ｄｏｎｇｌｅ）またはラップトップ内の埋込み型チップセットによって実現されたモバイルブロードバンドの結果である。
【００２０】
３ＧＰＰ内のロングタームエボルーション（ＬＴＥ）プロジェクトは、この３Ｇ標準をさらに改良して、特に、よりいっそう良好なモバイルブロードバンド（より高いスループット、より短いラウンドトリップタイムなど）をエンドユーザに提供することを目指している。
【００２１】
電気通信業界の共通する見解は、将来のネットワークはａｌｌ−ＩＰネットワークになるというものである。この想定に基づいて、ＬＴＥの作業ではＣＳドメインが除かれた。その結果、３ＧＰＰ  Ｒｅｌｅａｓｅ  ８に準拠したＬＴＥ端末は、以下の４つのうちの１つが実行されない限り、テレフォニーサービスを使用することができない。
【００２２】
（１）回線交換（ＣＳ）フォールバック（ｆａｌｌｂａｃｋ）（ＣＳＦＢ）を実現して、テレフォニーサービスが使用されるときにはＬＴＥ端末が２Ｇ  ＧＳＭへフォールバックするようにする。
【００２３】
（２）３ＧＰＰ  ＩＰマルチメディアサブシステム（ＩＭＳ）／マルチメディアテレフォニー（ＭＭＴｅｌ）を実現する。これは、ＩＰおよびＩＭＳを介して提供され、公衆交換電話網（ＰＳＴＮ）／公衆地上移動網（ＰＬＭＮ）と相互に作用する、シミュレーションされたＣＳテレフォニーサービスである。
【００２４】
（３）ＬＴＥを介してアンライセンストモバイルアクセス（ＵＭＡ）／ジェネリックアクセスネットワーク（ＧＡＮ）を使用するトンネリング（ｔｕｎｎｅｌｉｎｇ）ソリューションを実現する。このソリューションでは、ＣＳサービスがＩＰトンネルにカプセル化される。
【００２５】
（４）ＰＳＴＮ／ＰＬＭＮインターワーキングを用いたプロプライエタリ（ｐｒｏｐｒｉｅｔａｒｙ）ボイスオーバＩＰ（ＶｏＩＰ）ソリューションを実現する。
【００２６】
これらの４つの可能性はいずれも欠点を有する。デュアルトランスファモード（ＤＴＭ）機能を持たないデプロイされた（ｄｅｐｌｏｙｅｄ）ＧＳＭネットワークでは、ＣＳサービスとパケット交換（ＰＳ）サービスを並行して使用することができない。したがって、回線交換フォールバック（ＣＳＦＢ）を使用した端末への通話または端末からの通話の前に実行されていた全てのＰＳサービスは保留にされるか、または終了される。ＧＳＭネットワークがＤＴＭを有する場合、ＰＳ性能は（数十Ｍｂｐｓから数十ないし数百ｋｂｐｓに）大幅に低減される。ＣＳフォールバックアプローチの１つの欠点は、呼び出すまたは呼び出されるときに、ＬＴＥからＧＳＭおよびＣＳサービスへ端末がフォールバックしていることである。回線交換フォールバック（ＣＳＦＢ）は通話セットアップ時間も長くする。
【００２７】
ＩＭＳ／ＭＭＴｅｌアプローチは、ＩＭＳベースの全く新しいコア／サービス層を使用する。これは、このサービスを強化する新たな可能性を提供するが、これには同時に、財政上のハードルを運営業者が越えなければならないという欠点もある。新たなコアネットワークは資本支出（ｃａｐｉｔａｌ  ｅｘｐｅｎｄｉｔｕｒｅ）（ＣＡＰＥＸ）を押し上げ、そのコアネットワークの統合は、初期の営業費（ｏｐｅｒａｔｉｏｎｇ  ｅｘｐｅｎｄｉｔｕｒｅ）（ＯＰＥＸ）の増大をもたらす。さらに、ＩＭＳ／ＭＭＴｅｌアプローチは、２Ｇ／３Ｇ  ＣＳテレフォニーサービスへ／からの音声ハンドオーバ（ｈａｎｄｏｖｅｒ）を取り扱うために、端末およびレガシー（ｌｅｇａｃｙ）ＣＳネットワーク内に実現されたフィーチャを必要とする。
【００２８】
ＬＴＥを介してＵＭＡ／ＧＡＮを使用することは、標準化されたソリューションではなく、そのため、このソリューションがプロプライエタリソリューションであることが欠点であり、したがって、端末の可用性が問題になることがある。このソリューションはさらに、ネットワークと端末の両方のコア／サービス層に追加の機能、例えばネットワークではＧＡＮコントローラ、ＵＥ端末ではＧＡＮプロトコルを追加する。
【００２９】
運営業者によって制御される場合、プロプライエタリＶｏＩＰアプローチは、ＩＭＳ／ＭＭＴｅｌ（新たなコア／サービス層）アプローチと同じ欠点、ならびにこのアプローチがプロプライエタリであることに関連した困難をもたらし、２Ｇ／３Ｇ  ＣＳへのハンドオーバがサポートされない可能性もある。
【００３０】
３ＧＰＰ  ｒｅｌｅａｓｅ８に準拠したＬＴＥ端末などの無線端末を用いてレガシーＣＳテレフォニーサービスを使用するためのソリューションは他にもある。アクセス分割多重化（Ａｃｃｅｓｓ  Ｄｉｖｉｓｉｏｎ  Ｍｕｌｔｉｐｌｅｘｉｎｇ）（ＡＤＭ）の一型としても知られているこの追加のソリューションでは、ＧＳＭ  ＣＳ音声の伝送がＬＴＥ伝送とＬＴＥ伝送の間にインタリーブされる。例えば、参照により本明細書に組み込まれているＰＣＴ／ＳＥ２００７／０００３５８を参照されたい。このようなＡＤＭソリューションの例示的な一実現態様では、無線端末が、ＴＤＭＡベースの２つの無線システムと同時に通信する。例えば、その無線端末は、その通信を２つのシステム間で時間的に交替させることによって、両方のシステムへの通信経路を維持することができる。２つのシステム間の切替えは、それらの２つのシステム間の同時通信を有効に提供するのに十分な短い時間スケールで起こる。
【００３１】
このＡＤＭソリューションは、ＬＴＥカバレージ内にあるときにテレフォニーサービスと並行した良好なＰＳ接続を達成することを試みるが、レガシーＣＳコアおよびデプロイされたＧＳＭネットワークをテレフォニーサービスに依然として再使用してコストを減らし、それにもかかわらずテレフォニーサービスに対する良好なカバレージを維持する。
【００３２】
ＡＤＭソリューションはいくつかの方式で実現することができる。図１Ａに示した第１の例示的な実現態様は、ＧＳＭ  ＣＳコアとＬＴＥ  ＰＳコアの間の調整が不要な、完全にＵＥを中心としたソリューションである。図１Ｂに示した第２の例示的な実現態様はネットワーク支援ソリューションであり、回線交換フォールバック（ＣＳＦＢ）に基づくソリューション、またはＬＴＥを介したページングを再使用するだけのソリューションとすることができる。
【００３３】
無線の観点から、ＡＤＭソリューションは、３つの異なる方式のうちの任意の方式で現実化することができる。図２Ａに示した第１の例示的な無線現実化実施形態として、ＧＳＭ  ＴＤＭＡフレームレベルでＬＴＥ伝送をＧＳＭ伝送と多重化することができる。図２Ａでは、ＧＳＭ伝送用のフレームとＬＴＥ伝送用のフレームの陰影の暗さが異なっている。この第１の例示的なソリューションは、ＧＳＭ回線交換（ＣＳ）テレフォニーサービスがハーフレートコーデックだけを使用することを要求する。ＧＳＭがハーフレートで使用されているとき、ユーザは、ＧＳＭ  ＴＤＭＡフレームを１つおきに使用する。
【００３４】
図２Ｂに示した第２の例示的な無線現実化実施形態として、ＧＳＭバーストレベルでＬＴＥ伝送をＧＳＭ伝送と多重化することができる。ＧＳＭは、持続時間がそれぞれ０．５７７ｍｓであるバーストを使用して音声を伝送する。音声操作では、１つのバーストを送信した後、Ｒｘ／Ｔｘ部分は、再び目覚めるまで７×０．５７７ｍｓの間休眠し、次いで新たなＲｘ／Ｔｘプロセスを実行する。この第２の例では、この時間ギャップをＬＴＥ伝送に使用することができる。
【００３５】
図２Ｃに示した第３の例示的な無線現実化実施形態として、送信に対しては上記のいずれかの実施形態を使用し、ダウンリンクでは、複式受信器を使用することによって、ＧＳＭとＬＴＥを同時に受信して操作を単純化することができる。
【００３６】
回線交換フォールバック（ＣＳＦＢ）のアーキテクチャおよび原理は、例えばその全体が参照により本明細書に組み込まれている３ＧＰＰ  ＴＳ  ２３．２７２、Ｃｉｒｃｕｉｔ  Ｓｗｉｔｃｈｅｄ  Ｆａｌｌｂａｃｋ  ｉｎ  Ｅｖｏｌｖｅｄ  Ｐａｃｋｅｔ  Ｓｙｓｔｅｍ、Ｓｔａｇｅ２（Ｒｅｌｅａｓｅ  ８）に定義されており、本明細書ではこれを「２３．２７２」と略記する。
【発明の概要】
【００３７】
本発明の一態様では、本明細書に開示した技術が無線端末を操作する方法に関する。この方法の一般的な動作（ａｃｔ）によれば、無線端末が、回線交換ネットワークとの回線交換通話に参加することを求める要求を送る。回線交換通話の確立の前に、無線端末は、元のパケット交換ネットワークとの既存のパケット交換セッションを解除し、または元のパケット交換ネットワークとの既存のパケット交換セッションの無線アクセス技術間（ｉｎｔｅｒ−ｒａｄｉｏ  ａｃｃｅｓｓ  ｔｅｃｈｎｏｌｏｇｙ）ハンドオーバを実行する。回線交換ネットワークとの回線交換通話が確立される。無線端末は次いで、パケット交換セッションに再接続して、再接続されたパケット交換セッションを得る。その後、無線端末は、再接続されたパケット交換セッションのパケット交換伝送を回線交換通話の音声伝送とインタリーブする。
【００３８】
例示的な実施形態および形態（ｍｏｄｅ）では、無線端末が、回線交換通話に参加することを求める要求を送る動作が、無線端末が、発展型パケットコアネットワーク（ｅｖｏｌｖｅｄ  ｐａｃｋｅｔ  ｃｏｒｅ  ｎｅｔｗｏｒｋ）に拡張サービス要求（ｅｘｔｅｎｄｅｄ  ｓｅｒｖｉｃｅ  ｒｅｑｕｅｓｔ）メッセージを送り、無線端末が回線交換フォールバック操作を実行しようとしていることを示すことを含む。
【００３９】
例示的な実施形態および形態では、パケット交換セッションに再接続する動作が、回線交換通話が確立された後に、無線端末が、パケット交換セッションに再接続するために、ロングタームエボルーション（ＬＴＥ）無線アクセスネットワークにトラッキングエリア更新（ｔｒａｃｋｉｎｇ  ａｒｅａ  ｕｐｄａｔｅ）メッセージを送ることをさらに含む。
【００４０】
例示的な実施形態および形態では、無線端末がルーティング更新（ｒｏｕｔｉｎｇ  ｕｐｄａｔｅ）手順を実行しない。
【００４１】
例示的な実施形態および形態は、無線端末が、ロングタームエボルーション（ＬＴＥ）無線アクセス技術ネットワークにスケジューリングマップ（ｓｃｈｅｄｕｌｉｎｇ  ｍａｐ）を送って、パケット交換伝送に使用することができる伝送時間間隔（ｔｉｍｅ  ｔｒａｎｓｍｉｓｓｉｏｎ  ｉｎｔｅｒｖａｌ）（ＴＴＩ）を示すことをさらに含む。
【００４２】
例示的な実施形態および形態は、無線アクセス技術間パケット交換ハンドオーバを防ぐように、無線端末のフィーチャグループビット（ｆｅａｔｕｒｅ  ｇｒｏｕｐ  ｂｉｔ）を構成することをさらに含む。
【００４３】
例示的な実施形態および形態では、無線端末が無線アクセス技術間ハンドオーバを実行することが、既存のパケット交換セッションを、元のパケット交換ネットワークから広帯域符号分割多重アクセスネットワークへハンドオーバすることを含む。
【００４４】
例示的な実施形態および形態では、無線アクセス技術間ハンドオーバを実行することが、既存のパケット交換セッションを、元のパケット交換ネットワークからＧＳＭネットワークへハンドオーバして、ＧＳＭデュアル伝送モードパケット交換セッションを得ることを含み、さらに、無線端末が、ＧＳＭデュアル伝送モードパケット交換セッションを中断し、次いで、パケット交換セッションに再接続するために、ロングタームエボルーション（ＬＴＥ）無線アクセスネットワークにトラッキングエリア更新メッセージを送ることを含む。
【００４５】
本発明の一態様では、本明細書に開示した技術が、無線インタフェースを介して多重アクセス分割で通信する能力を有する無線端末に関する。この無線端末は、回線交換ネットワークとの回線交換通話に参加することを求める要求を送り、回線交換通話の確立の前に、元のパケット交換ネットワークとの既存のパケット交換セッションを解除し、または元のパケット交換ネットワークとの既存のパケット交換セッションの無線アクセス技術間ハンドオーバを実行し、回線交換ネットワークとの回線交換通話を確立し、パケット交換セッションに再接続して、再接続されたパケット交換セッションを得るように構成されている。この無線端末はしたがって、パケット交換再接続ユニットまたはパケット交換再接続ロジックを含む。この無線端末はさらに、再接続されたパケット交換セッションのパケット交換伝送を回線交換通話の音声伝送とインタリーブするように構成されている。
【００４６】
例示的な実施形態では、無線端末が、回線交換通話コントローラと、パケット交換セッションコントローラと、通信インタフェースとをさらに備える。回線交換通話コントローラは、回線交換ネットワークとの回線交換通話に参加することを求める要求を生成し、その後、前記回線交換通話の伝送を制御するように構成されている。パケット交換セッションコントローラは、回線交換通話の確立の前に、元のパケット交換ネットワークとの既存のパケット交換セッションを解除し、または元のパケット交換ネットワークとの既存のパケット交換セッションの無線アクセス技術間ハンドオーバを実行し、その後、パケット交換セッションに再接続して、再接続されたパケット交換セッションを得るように構成されている。パケット交換セッションコントローラはさらに、パケット交換セッションの伝送を制御するように構成されている。通信インタフェースは、例えば回線交換通話の伝送およびパケット交換セッションの伝送を実行するように構成されている。
【００４７】
例示的な実施形態では、回線交換通話コントローラが、発展型パケットコアネットワークに拡張サービス要求メッセージを送り、無線端末が回線交換フォールバック操作を実行しようとしていることを示すように構成されている。
【００４８】
例示的な実施形態では、パケット交換セッションコントローラが、回線交換通話が確立された後に、パケット交換セッションに再接続するために、ロングタームエボルーション（ＬＴＥ）無線アクセスネットワークにトラッキングエリア更新メッセージを送るように構成されている。
【００４９】
例示的な実施形態では、回線交換通話コントローラが、回線交換通話が確立される前にルーティング更新手順を実行しないように構成されている。
【００５０】
例示的な実施形態では、パケット交換セッションコントローラが、ロングタームエボルーション（ＬＴＥ）無線アクセス技術ネットワークにスケジューリングマップを送って、パケット交換伝送に使用することができる伝送時間間隔（ＴＴＩ）を示すように構成されている。
【００５１】
例示的な実施形態では、無線端末が、無線アクセス技術間パケット交換ハンドオーバを防ぐように構成されたフィーチャグループビットを含むフィーチャグループメモリをさらに備える。
【００５２】
例示的な実施形態では、パケット交換セッションコントローラが、元のパケット交換ネットワークから広帯域符号分割多重アクセスネットワークへの既存のパケット交換セッションのハンドオーバを実行するように構成されている。
【００５３】
例示的な実施形態では、パケット交換セッションコントローラが、元のパケット交換ネットワークからＧＳＭネットワークへの既存のパケット交換セッションのハンドオーバを実行して、ＧＳＭデュアル伝送モードパケット交換セッションを得るように構成されており、さらに、ＧＳＭデュアル伝送モードパケット交換セッションを中断し、次いで、パケット交換セッションに再接続するために、ロングタームエボルーション（ＬＴＥ）無線アクセスネットワークにトラッキングエリア更新メッセージを送るように構成されている。
【００５４】
本発明の他の態様では、本明細書に開示した技術が通信システムを操作する方法に関する。この方法は、無線端末と元のパケット交換ネットワークとの間にパケット交換セッションを提供することを含む。無線端末は、回線交換ネットワークとの回線交換通話に参加することを求める要求を送る。回線交換通話の確立の前に、無線端末は、元のパケット交換ネットワークとの既存のパケット交換セッションを解除し、または元のパケット交換ネットワークとの既存のパケット交換セッションの無線アクセス技術間ハンドオーバを実行する。その後、無線端末と回線交換ネットワークの間に回線交換通話が確立される。無線端末は次いで、パケット交換セッションに再接続して、再接続されたパケット交換セッションを得る。その後、無線端末は、再接続されたパケット交換セッションのパケット交換伝送を回線交換通話の音声伝送とインタリーブする。
【００５５】
本発明の以上の目的、特徴および利点ならびにその他の目的、特徴および利点は、添付図面に示した好ましい実施形態の以下のより具体的な説明から明らかである。図面中、さまざまな図の全体を通じて、同じ参照符号は同じ部分を指す。図面の尺度は必ずしも一律ではなく、その代わりに、本発明の原理を示すことに重点が置かれている。
【図面の簡単な説明】
【００５６】
【図１Ａ】ＧＳＭ  ＣＳコアとＬＴＥ  ＰＳコアの間の調整が不要な、完全にＵＥを中心としたＡＤＭソリューションを示す略図である。
【図１Ｂ】ＣＳフォールバック（ＣＳＦＢ）に基づくソリューション、またはＬＴＥを介したページングを再使用するだけのソリューションとすることができる、ネットワーク支援ＡＤＭソリューションを示す略図である。
【図２】ＡＤＭソリューションの示された異なる例示的な無線現実化実施形態を示す図であり、図２Ａは、単一の受信器／送信器を備え、ハーフレートのＧＳＭおよびＴＤＭＡフレームレベルでの多重化を含む実施形態を示し、図２Ｂは、単一の受信器／送信器を備え、バースト周期レベルでの多重化を含む実施形態を示し、図２Ｃは、複式デュアル受信器／単一送信器を備える実施形態を示す図である。
【図３】ＬＴＥネットワークおよびＧＳＭネットワークを用いたアクセス分割多重化（ＡＤＭ）に参加している無線端末を示す略図である。
【図４】無線端末から回線交換通話を開始するときの本明細書に開示した技術の諸態様の略図である。
【図５】アクセス分割多重化（ＡＤＭ）能力を有する無線端末の例示的な一実施形態の略図である。
【図６】あるプラットフォーム実現態様を示す無線端末の例示的な一実施形態のより詳細な略図である。
【図７】例示的な一形態に基づく無線端末を操作する包括的な方法に含まれる代表的かつ基本的な動作またはステップを示す流れ図である。
【図７Ａ】図７の包括的な形態の変形、強化または詳細な例であるさまざまな例示的な形態に含まれる代表的かつ基本的な動作またはステップを示す流れ図である。
【図７Ｂ】図７の包括的な形態の変形、強化または詳細な例であるさまざまな例示的な形態に含まれる代表的かつ基本的な動作またはステップを示す流れ図である。
【図７Ｃ】図７の包括的な形態の変形、強化または詳細な例であるさまざまな例示的な形態に含まれる代表的かつ基本的な動作またはステップを示す流れ図である。
【図８】ＧＳＭ通話を開始し、終了する場合のロジックを示す略図であり、このシステムは、ＩＲＡＴパケット交換（ＰＳ）ハンドオーバ（ＨＯ）を使用していない。
【図９】ＩＲＡＴパケット交換（ＰＳ）ハンドオーバ（ＨＯ）がサポートされているときのロジックを示す略図である。
【発明を実施するための形態】
【００５７】
以下の説明では、本発明の完全な理解を提供するため、限定のためではなく説明のために、特定のアーキテクチャ、インタフェース、技法などの具体的な詳細が示される。しかしながら、それらの具体的な詳細を逸脱する他の実施形態において本発明を実施することができることは当業者には明らかである。すなわち、当業者であれば、本明細書には明示的に記載されまたは示されていないが、本発明の原理を具体化し、本発明の趣旨および範囲に含まれるさまざまな構成を考案することができる。不必要な詳細によって本発明の説明を不明瞭にすることがないように、場合によっては、周知の装置、回路および方法の詳細な説明が省かれる。本発明の原理、態様および実施形態ならびに本発明の具体的な例を列挙する本明細書の全ての記述は、その構造上および機能上の等価物の両方を包含することが意図されている。さらに、このような等価物は、現在知られている等価物と将来開発される等価物の両方、すなわち同じ機能を実行する、構造は問わない開発された一切の要素を含むことが意図されている。
【００５８】
したがって、例えば、本明細書のブロック図は、この技術の原理を具体化する例示的な回路または他の機能ユニットの概念図を表しうることを当業者は理解するであろう。同様に、流れ図、状態遷移図、擬似コードなどはさまざまなプロセスを表すことが理解され、これらのさまざまなプロセスは、そのようなコンピュータまたはプロセッサが明示的に示されているか否かにかかわらず、コンピュータ可読媒体内に実質的に表現されていることがあり、そのためコンピュータまたはプロセッサによって実行されることがある。
【００５９】
限定はされないが「コンピュータ」、「プロセッサ」または「コントローラ」として標識され、または記述されるものを含む、機能ブロックを含むさまざまな要素の機能は、回路ハードウェアおよび／またはコンピュータ可読媒体上に記憶されたコード化された命令の形態のソフトウェアを実行する能力を有するハードウェアなどのハードウェアを使用することによって提供することができる。したがって、このような機能および図示された機能ブロックは、ハードウェアおよび／またはコンピュータによって実現され、したがって機械によって実現されると理解されたい。
【００６０】
ハードウェア実現態様に関して、機能ブロックは、限定はされないが、ディジタルシグナルプロセッサ（ＤＳＰ）ハードウェア、縮小命令セットプロセッサ、限定はされないが特定用途向けＩＣ［ＡＳＩＣ］を含むハードウェア（例えばディジタルまたはアナログ）回路、および（適当な場合には）このような機能を実行する能力を有する状態機械を含み、または包含することがある。
【００６１】
コンピュータ実現態様に関して、コンピュータは一般に、１つもしくは複数のプロセッサまたは１つもしくは複数のコントローラを備えると理解され、本明細書では、用語コンピュータおよびプロセッサおよびコントローラが相互交換可能に使用されることがある。コンピュータまたはプロセッサまたはコントローラによって提供されるときには、その機能を、単一の専用コンピュータもしくはプロセッサもしくはコントローラによって、単一の共用コンピュータもしくはプロセッサもしくはコントローラによって、または複数の個々のコンピュータもしくはプロセッサによってもしくはコントローラによって提供することができ、複数の個々のコンピュータもしくはプロセッサによってもしくはコントローラは、その一部が共用されまたは分散されていてもよい。さらに、用語「プロセッサ」または「コントローラ」の使用はさらに、このような機能を実行し、かつ／または例えば先に列挙した例示的なハードウェアなどのソフトウェアを実行する能力を有する他のハードウェアを指すと解釈される。
【００６２】
本明細書に開示した技術は、グローバルシステムフォーモバイルコミュニケーション（ＧＳＭ）における回線交換（ＣＳ）音声とロングタームエボルーション（ＬＴＥ）におけるパケット交換（ＰＳ）セッションとの多重化が可能になるように回線交換フォールバック（ＣＳＦＢ）ソリューションが改善された、実施形態および形態を提供する。図３は、ユーザイクイップメントユニット（ＵＥ）または無線端末３０が、並行した２つの無線アクセス技術ネットワークを用いたアクセス分割多重化（ＡＤＭ）に参加することができる、本明細書に開示した技術の例示的な状況および一態様を示す。図３は、ロングタームエボルーション（ＬＴＥ）ネットワーク２２−１のセルおよびグローバルシステムフォーモバイルコミュニケーション（ＧＳＭ）ネットワーク２２−２（２Ｇネットワーク）のセルを示す。ＬＴＥネットワーク２２−１は基地局またはｅＮｏｄｅＢ２８−１を含み、２Ｇネットワーク２２−２は基地局２８−２を含む。前述のとおり、ＬＴＥネットワーク２２−１は回線交換（ＣＳ）サービスを提供せず、そのため、ＬＴＥネットワーク２２−１が提供するパケット交換（ＰＳ）サービスに参加している無線端末３０は、回線交換（ＣＳ）サービス用の別のネットワーク、例えばＧＳＭネットワーク２２−２に移らなければならない。
【００６３】
本明細書に開示した技術は、そのシステムが、３ＧＰＰ  Ｒｅｌｅａｓｅ  ８  ＣＳＦＢに基づくネットワーク支援ソリューション、ＰＣＴ／ＳＥ２００７／０００３５８に概要が記載されているネットワーク支援ソリューションなどのネットワーク支援ソリューションを使用していることを前提としている。この技術が解決する課題は、３ＧＰＰ  Ｒｅｌｅａｓｅ  ８  ＣＳＦＢでは、ＧＳＭにフォールバックするときに（そのネットワークにおいてＤＴＭがデプロイされない限りにおいて）ＬＴＥ  ＰＳセッションが解除されることである。ＧＳＭにフォールバックするときにＬＴＥ  ＰＳセッションを解除し、その結果としてＰＳセッションを切るかまたはＤＴＭを低ビットレートで使用する代わりに、本明細書に開示した技術は、ＬＴＥ  ＰＳセッションを再び確立し、ＧＳＭ通話が続いている間、そのＬＴＥ  ＰＳセッションを使用する。このことは、無線端末を中心としたアプローチを使用している無線端末が、ＧＳＭとＬＴＥの間の時分割多重化を実行する能力を有する場合に、その無線端末が、ＬＴＥ  ＰＳセッションへの再接続の責任を負うことを意味する。したがって、本明細書に開示した技術は、３ＧＰＰ  Ｒｅｌｅａｓｅ  ８  ＣＳＦＢアプローチを最適化する。
【００６４】
図４は、無線端末３０から回線交換通話を開始するときの本明細書に開示した技術の諸態様を示す。図４の例は、ＬＴＥ  ＰＳセッションに参加している無線端末がＧＳＭ通話を開始しているケースを示している。
【００６５】
図４のステップ１）で、無線端末は既存のＬＴＥ  ＰＳセッションを有する。図４のステップ２）で、無線端末は音声通話を開始し、システムは、ＰＳセッションからＧＳＭへの無線アクセス技術間パケット交換（ＰＳ）ハンドオーバ（ＨＯ）を実行するか、または（システムがＩＲＡＴ  ＰＳ  ＨＯをサポートしていない場合には）ＬＴＥ  ＰＳセッションが解除される。無線端末は、ロケーションエリア更新（ＬＡＵ）を実行し、音声通話を確立する。図４のステップ３）で、無線端末は、トラッキングエリア更新（ＴＡＵ）を実行してＬＴＥ  ＰＳアクセスを再開する。ＩＲＡＴ  ＰＳ  ＨＯがサポートされた場合、このＴＡＵはＰＳセッションを再びＬＴＥへ移す。ＰＳセッションが解除された場合、このＴＡＵはＬＴＥ  ＰＳセッションを再接続する。
【００６６】
図５は、無線端末の例示的で、包括的でかつ基本的な一実施形態３０を示す。図５に示すように、無線端末３０は、通信インタフェース４０、回線交換通話コントローラ４２およびパケット交換セッションコントローラ４４を備える。回線交換通話コントローラ４２は、回線交換通話を確立し、回線交換通話の伝送を支配するように構成されている。パケット交換セッションコントローラ４４は、パケット交換セッションの伝送を含むパケット交換セッションを確立し、維持するように構成されている。そのために、パケット交換セッションコントローラ４４は例えばパケット交換再接続ロジック４８を含む。通信インタフェース４０は、回線交換通話の伝送およびパケット交換セッションの伝送を含む伝送を無線インタフェースを介して実行するように構成されている。
【００６７】
図６は、ある種の機能をプラットフォーム６０によって現実化し、かつ／またはある種の機能をプラットフォーム６０上に提供することができる、無線端末のより詳細な例示的実施形態３０（６）を示す。用語「プラットフォーム」は、通信ユニットまたは通信ノードの機能ユニットを機械によって実現しまたは現実化する方法を記述する１つの手段である。１つの例示的なプラットフォームがコンピュータ実現態様であり、限定はされないが、回線交換通話コントローラ４２およびパケット交換セッションコントローラ４４（およびそのパケット交換再接続ロジック４８）を含む、要素の１つまたは複数が線６０によって囲われている。
【００６８】
例示的な一実現態様では、本明細書に記載されたさまざまな動作を実行するためにメモリに記憶されたコード化された命令（例えば非一時的信号）を実行する１つまたは複数のプロセッサによって、プラットフォーム６０によって囲われて示された諸機能および他の機能も現実化することができる。このようなコンピュータ実現態様において、無線端末は、プロセッサ（１つまたは複数）の他に、メモリセクション６２を備えることができる（メモリセクション６２は、ランダムアクセスメモリ６４、リードオンリーメモリ６６、アプリケーションメモリ６８（例えば、本明細書に記載された動作を実行するためにプロセッサによって実行することができるコード化された命令を記憶している）、および他のメモリ（例えばキャッシュメモリなど）を備えることができる）。
【００６９】
明確に示されているか否かに関わらず、本明細書で論じるそれぞれの実施形態の無線端末は一般に、ある種の入出力ユニットまたは入出力機能をさらに備えることができ、図６には、無線端末用の代表的な入出力ユニットが、キーパッド７０、音声入力装置（例えばマイクロホン）７２、視覚入力装置（例えばカメラ）７４、視覚出力装置（例えばディスプレイ）７６および音声出力装置（例えばスピーカ）７８として示されている。無線端末３０（６）に他のタイプの入出力装置を接続し、または無線端末３０（６）が他のタイプの入出力装置を備えることもできる。
【００７０】
図６の例では、プラットフォーム６０が、コンピュータによって実現されたプラットフォームまたはコンピュータに基づくプラットフォームとして示されている。無線端末用の他の例示的なプラットフォーム６０は、本明細書に記載されたさまざまな動作を実行するようにその回路要素が構築され、動作するハードウェア回路、例えば特定用途向けＩＣ（ＡＳＩＣ）のプラットフォームである。
【００７１】
さらに、本明細書で使用するとき、「（１つまたは複数の）無線端末」または「ＵＥ」は、限定はされないが携帯電話（「セル方式」電話）、無線機能（例えばモバイル端末）を備えるラップトップなどの移動局またはユーザイクイップメントユニット（ＵＥ）とすることができ、したがって、無線アクセスネットワークと音声および／またはデータをやりとりする例えばポータブル型、ポケット型、ハンドヘルド型、コンピュータ内蔵型または車載型の移動局またはユーザイクイップメントユニット（ＵＥ）とすることができることが理解される。
【００７２】
図７は、本明細書に開示した技術の例示的な一形態に基づく無線端末を操作する包括的な方法に含まれる代表的で基本的な動作またはステップを示す。動作７−１は、無線端末３０（具体的には回線交換通話コントローラ４２）が、回線交換ネットワークとの回線交換通話に参加することを求める要求を送ることを含む。動作７−２によって示されているように、回線交換通話の確立の前に、無線端末３０のパケット交換セッションコントローラ４４は、元のパケット交換ネットワーク（例えばロングタームエボルーション（ＬＴＥ）ネットワーク２２−１）との既存のパケット交換セッションを解除し、または元のパケット交換ネットワークとの既存のパケット交換セッションの無線アクセス技術間ハンドオーバを実行する。動作７−３は、回線交換ネットワークとの回線交換通話を確立することを含む。動作７−４は、次いで、無線端末３０のパケット交換再接続ロジック４８が、無線端末３０をパケット交換セッションに再接続して、再接続されたパケット交換セッションを得ることを含む。その後、動作７−５として、無線端末３０の回線交換通話コントローラ４２とパケット交換セッションコントローラ４４とが協力して、再接続されたパケット交換セッションのパケット交換伝送を回線交換通話の音声伝送とインタリーブする。
【００７３】
この方法の図７Ａによって示す例示的な一実施形態および形態では、無線端末が、回線交換通話に参加することを求める要求を送る動作７−１が、（動作７−１Ａとして、）無線端末３０の回線交換通話コントローラ４２が、発展型パケットコアネットワークに拡張サービス要求メッセージを送り、無線端末が回線交換フォールバック操作を実行しようとしていることを示すことを含む。
【００７４】
この方法の図７Ｂによって示す例示的な一実施形態および形態では、パケット交換セッションに再接続する動作７−４が、（動作７−４−Ｂとして、）回線交換通話が確立された後に、無線端末のパケット交換セッションコントローラ４４が、ロングタームエボルーション（ＬＴＥ）無線アクセスネットワークにトラッキングエリア更新メッセージを送ることをさらに含む。注目すべきことに、無線端末３０は、ルーティング更新手順を実行しない。
【００７５】
この方法の図７Ｃによって示す例示的な一実施形態および形態では、動作７−５に先立つ動作７−６として、無線端末が、ロングタームエボルーション（ＬＴＥ）無線アクセス技術ネットワークにスケジューリングマップを送って、パケット交換伝送（およびしたがって動作７−５のインタリービングまたは多重化）に使用することができる伝送時間間隔（ＴＴＩ）を示すことをさらに含む。
【００７６】
例示的な一実施形態および形態は、無線アクセス技術間パケット交換ハンドオーバを防ぐように、無線端末のフィーチャグループビットを構成することをさらに含む。
【００７７】
例示的な一実施形態およびモードでは、無線端末が無線アクセス技術間ハンドオーバを実行することが、既存のパケット交換セッションを、元のパケット交換ネットワークから広帯域符号分割多重アクセスネットワークへハンドオーバすることを含む。
【００７８】
例示的な一実施形態およびモードでは、無線アクセス技術間ハンドオーバを実行することが、既存のパケット交換セッションを、元のパケット交換ネットワークからＧＳＭネットワークへハンドオーバして、ＧＳＭデュアル伝送モードパケット交換セッションを得ることを含み、さらに、無線端末が、ＧＳＭデュアル伝送モードパケット交換セッションを中断し、次いで、パケット交換セッションに再接続するために、ロングタームエボルーション（ＬＴＥ）無線アクセスネットワークにトラッキングエリア更新メッセージを送ることを含む。
【００７９】
上記の方法を含む本明細書に開示した技術は、異なる２つのタイプの手順またはケースを包含する。第１の手順またはケースは、無線アクセス技術間（ＩＲＡＴ）パケット交換（ＰＳ）ハンドオーバ（ＨＯ）がサポートされているときであり、第２の手順またはケースは、無線アクセス技術間（ＩＲＡＴ）パケット交換（ＰＳ）ハンドオーバ（ＨＯ）がサポートされていない（ラジオリソースコントロール［ＲＲＣ］解除および再接続に基づく）ときである。第２の手順またはケース（すなわち無線アクセス技術間（ＩＲＡＴ）パケット交換（ＰＳ）ハンドオーバ（ＨＯ）がサポートされていないとき）を２つのサブケースに分割することもできる。第１のサブケースは、（ネットワークアシステッドセルチェンジ［ＮＡＣＣ］を含みまたは含まない）無線アクセス技術間（ＩＲＡＴ）セルチェンジオーダ（ＣＣＯ）がサポートされているときである。第２のサブケースは、（ＮＡＣＣを含みまたは含まない）無線アクセス技術間（ＩＲＡＴ）セルチェンジオーダ（ＣＣＯ）がサポートされていないときである。
【００８０】
無線アクセス技術間（ＩＲＡＴ）パケット交換（ＰＳ）ハンドオーバ（ＨＯ）が使用されず、ＮＡＣＣを含むＣＣＯおよびＮＡＣＣを含まないＣＣＯが使用されない場合、通話セットアップの後または通話セットアップと同時にトラッキングエリア更新（ＴＡＵ）を介してＬＴＥ  ＰＳセッションを再接続するＵＥを中心としたアプローチは、パケット交換（ＰＳ）供給停止時間を最小限に抑えることに関して、より良好な性能を有するであろう。これは、次いでＰＳセッション（ＰＤＰコンテキスト）がＬＴＥコアから２Ｇコアへ移らないことによる。
【００８１】
フィーチャグループインジケータを使用することによって、ＩＲＡＴ  ＰＳハンドオーバ（ＨＯ）を使用しないようにする選択および能力を、無線端末に対して制御することができる。具体的には、ＩＲＡＴ  ＰＳハンドオーバ（ＨＯ）の使用を回避する１つの選択肢はビット番号９および１０を有する無線端末のフィーチャグループインジケータ（３ＧＰＰ  ＴＳ  ３６．３３１に指定されている）をゼロに設定することである。ビットのこのような設定は、ＰＳセッションがアクティブであるときに、ＬＴＥからＧＳＭへのＩＲＡＴ  ＰＳ  ＨＯならびにＮＡＣＣを含むＣＣＯおよびＮＡＣＣを含まないＣＣＯの使用を防ぐ。この態様は任意であるため、図５および図６では、フィーチャグループインジケータメモリ５０が破線によって示されており、無線アクセス技術間（ＩＲＡＴ）パケット交換（ＰＳ）ハンドオーバ（ＨＯ）を排除するためには、ビット９および１０をゼロに設定する。
【００８２】
図８は、ＧＳＭ通話を開始し、終了する場合の方法、したがってそのような場合のロジックのより詳細な動作を示し、このシステムは、無線アクセス技術間（ＩＲＡＴ）パケット交換（ＰＳ）ハンドオーバ（ＨＯ）を使用していない。図８では、３ＧＰＰ  ｒｅｌｅａｓｅ  ８  回線交換フォールバック（ＣＳＦＢ）と比較したときに、本明細書に開示した技術によって提供される追加および／または強化が、囲われた追加ブロック８０として示されている。
【００８３】
最初の動作（動作８１）では、無線端末がＬＴＥ  ＰＳセッションに参加している（ＵＥがＥＣＭ−ＣＯＮＮＥＣＴＥＤ状態にある）。この無線端末は、動作８２Ａによって示されているようにページを受け取る（およびそれによって通話を終了する）ことによって、または動作８２Ｂによって示されているように発呼し／通話を開始することによって、回線交換（ＣＳ）通話に参加することができる。無線端末が回線交換（ＣＳ）通話を終了する場合（動作８２Ｂ）、ＣＳページングがＬＴＥを介して受け取られる。両方のケース（無線端末が通話を開始するケースと無線端末が通話を終了するケース）で、無線端末は、ネットワークが回線交換フォールバック（ＣＳＦＢ）を実行することを求める情報と一緒に、発展型パケットコア（ＥＰＣ）に拡張サービス要求を送る。本明細書において、拡張サービス要求は、回線交換（ＣＳ）通話に参加することを求める要求としても知られている。この拡張サービス要求の送信によって、ｅＮｏｄｅＢが、パケット交換（ＰＳ）サービスに対してその無線端末がもはや使用可能でないことを示すＳ１  ＵＥコンテキストリリース（Ｓ１  ＵＥ  Ｃｏｎｔｅｘｔ  Ｒｅｌｅａｓｅ）要求を実行するようトリガされる。したがって、（動作８３によって表されているように）ＬＴＥ  ＰＳセッションが解除される。
【００８４】
回線交換（ＣＳ）通話を確立するため、無線端末は、どちらのタイプのセルが適当であり、かつ／または使用可能であるかに応じて、グローバルシステムフォーモバイルコミュニケーション（ＧＳＭ）セルまたはＷＣＤＭＡセルへ移ることができる。図８の動作８４Ａは、無線端末が新たなＧＳＭセルへ移ることを示しており、動作８４Ｂは、無線端末が新たなＷＣＤＭＡセルへ移ることを示している。（ＧＳＭまたはＷＣＤＭＡの）どちらのセルに移るにしても、無線端末は、無線シグナリング接続を確立する。図８の動作８５Ａは、ＧＳＭ回線交換（ＣＳ）通話の接続を示しており、動作８５Ｂは、回線交換（ＣＳ）通話がＷＣＤＭＡで接続されていること（またはパケット交換セッションが確立されていること）を示している。システム（ネットワークおよび無電端末を含む）がデュアルトランスファモード（ＤＴＭ）をサポートしている場合であっても、無線端末はルーティングエリア更新（ＲＡＵ）を実行しない。ルーティングエリア更新（ＲＡＵ）のこの意図的な省略は、破線の（実行されない）ＧＳＭに対する動作８６ＡおよびＷＣＤＭＡに対する動作８６Ｂによって表されている。ルーティングエリア更新（ＲＡＵ）を実行しないことは従来のアプローチと対照をなし、従来の方法によれば、ＤＴＭがサポートされているとき、ＵＥは、ＲＡＵを実行して、パケット交換（ＰＳ）サービスをＥ−ＵＴＲＡＮからＧＳＭへ移す。
【００８５】
ＣＳ通話が接続され（動作８５Ａ、８５Ｂ）、回線交換（ＣＳ）通話の接続と同時に、無線端末は、ＧＳＭおよびＬＴＥデュアルトランスファモード（ＤＴＭ）に入り、さらに、（動作８７によって示されているように）ロングタームエボルーション（ＬＴＥ）においてトラッキングエリア更新（ＴＡＵ）を送って、ＬＴＥ  ＰＳセッションを再確立する。ＬＴＥ  ＰＳセッションの再確立は図８の動作８８に示されている。このプロセスにおいて、無線端末はさらに、ロングタームエボルーション（ＬＴＥ）ネットワークにスケジューリングマップを送って、ＬＴＥトランスポートに使用することができるＴＴＩを示すことができる（図７Ｃの動作７−６参照）。その後、多重化された通信またはインタリーブされた通信を使用して、無線端末は、ＧＳＭネットワークを用いた音声サービスおよびＬＴＥデュアルトランスファモード（ＤＴＭ）でのデータサービスに参加する。
【００８６】
図９は、無線アクセス技術間（ＩＲＡＴ）パケット交換（ＰＳ）ハンドオーバ（ＨＯ）がサポートされているときにＧＳＭ通話を開始し、終了する場合の方法、したがってそのような場合のロジックのより詳細な動作を示す。図９では、３ＧＰＰ  ｒｅｌｅａｓｅ  ８  回線交換フォールバック（ＣＳＦＢ）と比較したときに、本明細書に開示した技術によって提供される追加および／または強化が、囲われた追加ブロック９０として示されている。
【００８７】
最初の動作ステップ９１では、無線端末がＬＴＥ  ＰＳセッションに参加している（ＵＥがＥＣＭ−ＣＯＮＮＥＣＴＥＤ状態にある）。図９のシナリオに関しては、ネットワークが、無線アクセス技術間（ＩＲＡＴ）パケット交換（ＰＳ）ハンドオーバ（ＨＯ）をサポートしており、無線端末が、そのフィーチャグループインジケータビット９をゼロに設定しない（とはいえ、フィーチャグループインジケータビット９を上で説明したように設定することが推奨される）。
【００８８】
無線端末は、動作９２Ａによって示されているようにページを受け取る（およびそれによって通話を終了する）ことによって、または動作９２Ｂによって示されているように発呼し／通話を開始することによって、回線交換（ＣＳ）通話に参加することができる。無線端末が回線交換（ＣＳ）通話を終了する場合（動作９２Ｂ）、ＣＳページングがＬＴＥを介して受け取られる。
【００８９】
無線端末およびネットワークが無線アクセス技術間（ＩＲＡＴ）パケット交換（ＰＳ）ハンドオーバ（ＨＯ）をサポートしている図９の場合、回線交換通話を発呼し／回線交換通話を開始することによって、ネットワークが、動作９３によって示されているように、ＬＴＥセッションからＧＳＭネットワークへの無線アクセス技術間（ＩＲＡＴ）パケット交換（ＰＳ）ハンドオーバ（ＨＯ）の実行を開始するようにトリガする。動作９４は、無線端末が新たなＧＳＭセル（またはＷＣＤＭＡセル）へ移り、無線シグナリング接続を確立することを示している。ＣＳ通話が接続される。ＩＲＡＴ  ＰＳ  ＨＯの実行段階が継続し、動作９５によって示されているように完了する。
【００９０】
無線端末がＧＳＭにある場合には、動作９６〜９９が実行され、後述する残りの手順が適用される。一方、無線アクセス技術間（ＩＲＡＴ）パケット交換（ＰＳ）ハンドオーバ（ＨＯ）によって無線端末がＷＣＤＭＡ  ＣＳＦＢへ移った場合には、Ｒｅｌｅａｓｅ  ８に指定された回線交換フォールバック（ＣＳＦＢ）手順が適用される。
【００９１】
動作９６は、回線交換（ＣＳ）通話がＧＳＭにあることを示している。無線端末がデュアルトランスファモード（ＤＴＭ）モードに入り、ＰＳセッションを継続する場合、無線端末は、（動作９７によって示されているように）ＧＳＭ  ＤＴＭ  ＰＳセッションを中断して、ＧＳＭ伝送ギャップの間にＬＴＥ伝送をインタリーブすることができるようにする。このプロセスにおいて、無線端末はさらに、スケジューリングマップをＬＴＥに送って、ＬＴＥトランスポートに使用することができるＴＴＩを示すことができる（図７Ｃの動作７−６参照）。無線端末は、ＧＳＭとＬＴＥ  ＴＤＭモードの間の多重化またはインタリービングに入り、（動作９８として）ＬＴＥにおいてトラッキングエリア更新（ＴＡＵ）を送って、ＬＴＥ  ＰＳセッションを再確立する（動作９９によって示されている）。
【産業上の利用可能性】
【００９２】
本明細書に開示した技術には多数の利点があり、次に、その例を簡単に述べる。例えば、ＧＳＭ通話中のロングタームエボルーション（ＬＴＥ）アクセスは、ＣＳサービスとＰＳサービスを並行して提供する可能性を提供する。ＬＴＥ／ＧＳＭアクセス多重化を可能にするためにＧＳＭ通話が確立されるのと同時にまたはＧＳＭ通話が確立された後にＬＴＥ  ＰＳセッションに再接続するこの無線端末を中心としたアプローチは、３ＧＰＰ  ｒｅｌｅａｓｅ  ８に指定されたＣＳＦＢシグナリングフローに影響を及ぼさない。
【００９３】
本明細書に開示した技術はさらに、ＧＳＭ通話中に無線端末がロングタームエボルーション（ＬＴＥ）アクセスに再接続することを可能にし、ＧＳＭ  ＣＳ音声伝送間にＬＴＥデータ伝送をインタリーブすることによって、Ｒｅｌｅａｓｅ  ８回線交換フォールバック（ＣＳＦＢ）を強化する。
【００９４】
有利には、回線交換フォールバック（ＣＳＦＢ）に関連して実行される本明細書に記載した機能が無線端末に追加される。通話が接続された後、無線端末は、ＧＳＭ  ＣＳ音声伝送間にＬＴＥデータ伝送をインタリーブするモードに入り、それと同時にＥＰＣに対してトラッキングエリア更新（ＴＡＵ）を実行して、ＬＴＥにおけるＰＳセッションを再確立する。
【００９５】
本明細書に記載した他の利点は、ＧＳＭネットワークおよび／または無線端末がデュアルトランスファモード（ＤＴＭ）をサポートしているか否かにかかわらず、音声通話に対して使用するアクセスがＧＳＭであり、ＬＴＥカバレージが存在する場合に、単に無線端末がＬＴＥにおいてＰＳセッションを再確立する機能である。
【００９６】
例示的な他の利点は、ＧＳＭ伝送間にＬＴＥ伝送をインタリーブする能力を有する無線端末が、パケット交換（ＰＳ）供給停止時間を最適化するために、そのフィーチャグループインジケータ９および１０をゼロに設定することができる機能である。
【００９７】
例示的な他の利点は、ＩＲＡＴ  ＰＳ  ＨＯをサポートしていないが、ＤＴＭはサポートしているシステム内でＣＳＦＢを実行するＧＳＭ伝送間にＬＴＥ伝送をインタリーブする能力を有するＵＥが、ＣＳＦＢが実行された後にＵＥがＬＴＥアクセスを得ることをより速く可能にするために、いかなるＲＡＵも実行しない機能である。
【００９８】
例示的な他の利点は、（ＩＲＡＴ  ＰＳ  ＨＯをサポートし、ＤＴＭをサポートしているシステム内でＣＳＦＢを実行するＧＳＭ伝送間にＬＴＥ伝送をインタリーブする能力を有する）無線端末が、トラッキングエリア更新（ＴＡＵ）を実行することができるようにするため、およびＧＳＭ  ＣＳ音声伝送間の伝送ギャップをＬＴＥデータトランスポートに使用することができるようにするために、ＰＳセッションを中断することができる機能である。
【００９９】
以上の説明は多くの具体的な詳細を含むが、それらが本発明の範囲を限定すると解釈すべきではなく、それらは単に、現時点における本発明の好ましい実施形態のうちのいくつかの実施形態の例を提供しているに過ぎないと解釈すべきである。したがって、本発明の範囲は、当業者には明白であることがある他の実施形態を完全に包含すること、および本発明の範囲はしたがって過度に限定されないことが理解されよう。ある要素を単数の形で示すとき、その要素が単数であると明示されていない限りにおいて、これは「１つだけ」を意味せず、むしろ「１つまたは複数の」を意味する。当業者に知られている前述の好ましい実施形態の諸要素の構造的、化学的および機能的等価物は全て、本発明に明白に含まれ、包含されることが意図されている。さらに、ある装置または方法を本発明に包含するのに、その装置または方法が、本発明が解決しようとするあらゆる課題に対処する必要は必ずしもない。
【図１Ａ】
0005622863.tif 000002
【図１Ｂ】
0005622863.tif 000003
【図２】
0005622863.tif 000004
【図３】
0005622863.tif 000005
【図４】
0005622863.tif 000006
【図５】
0005622863.tif 000007
【図６】
0005622863.tif 000008
【図７】
0005622863.tif 000009
【図７Ａ】
0005622863.tif 000010
【図７Ｂ】
0005622863.tif 000011
【図７Ｃ】
0005622863.tif 000012
【図８】
0005622863.tif 000013
【図９】
0005622863.tif 000014